(57)【要約】【構成】フィン（２０）、フィンプラグ（２４）、カムおよびウォーム歯車を有する着脱式フィン取り付け装置である。フィンプラグ（２４）に、フィン（２０）の一部が嵌合するキャビティ（４０）を形成する。歯車をもつカムを、キャビティ（４０）に隣接するフィンプラグ（２４）内に位置決めする。ウォーム歯車をフィンプラグ（２４）内に位置決めし、カムの歯車に係合する。この歯車を回動すると、カムが回動し、キャビティ（４０）内に嵌合したフィン（２０）を固定する。
2005508798.tif 000002
【特許請求の範囲】
【請求項１】
フィン、
このフィンの一部を嵌合するキャビティを形成したフィンプラグ、
このキャビティに隣接して上記フィンプラグ内に設けた歯車をもつカム、および
フィンプラグ内に設けられ、かつカムの歯車に係合するウォーム歯車を有し、
このウォーム歯車を回動してカムを回動させ、キャビティ内に嵌合したフィンの上記一部を固定するように構成したことを特徴とする着脱式フィン取り付け装置。
【請求項２】
フィンがさらにタブを有し、このタブをキャビティに嵌合した請求項１記載の着脱式フィン取り付け装置。
【請求項３】
キャビティの長さをタブの長さより長くし、キャビティ内でフィンを前後に調節できるように構成した請求項２記載の着脱式フィン取り付け装置。
【請求項４】
カムがさらに平坦部分と張り出し部分を有する請求項１〜３のいずれか１項記載の着脱式フィン取り付け装置。
【請求項５】
ウォーム歯車を所定の方向に回動しカムを係合位置まで回動させ、ウォーム歯車を反対方向に回動しカムを非係合位置まで回動させる請求項１〜４のいずれか１項記載のフィン取り付け装置。
【請求項６】
カムの張り出し部分を係合位置においてフィンに対して位置決めし、そしてカムの平坦部分を非係合位置においてフィンに対して位置決めした請求項４または５記載のフィン取り付け装置。
【請求項７】
張り出し部分がゴム材料を有する、請求項４に従属した請求項４〜６のいずれか1項記載のフィン取り付け装置。
【請求項８】
ウォーム歯車が、さらにこのウォーム歯車を回動する手段を受け取る開口を有する請求項１〜７のいずれか１項記載のフィン取り付け装置。
【請求項９】
開口が実質的に矩形で、ウォーム歯車を回動する手段がプラスチックキー、ドライバー、および車または家のキーを有する請求項８記載のフィン取り付け装置。
【請求項１０】
フィンがさらにゴム材料を有する請求項１〜９のいずれか１項記載のフィン取り付け装置。
【請求項１１】
フィンが側面を有し、この側面が、フィンをキャビティ内に嵌合したときにカムに隣接する請求項１〜１０のいずれか１項記載のフィン取り付け装置。
【請求項１２】
フィンが凹部を形成した側面を有し、この凹部が、フィンをキャビティ内に嵌合したときにカムに隣接する請求項１〜１１のいずれか１項記載のフィン取り付け装置。
【請求項１３】
フィンがカットアウト部分を形成した側面を有し、このカットアウト部分が、フィンをキャビティ内に嵌合したときにカムに隣接する請求項１〜１１のいずれか１項記載のフィン取り付け装置。
【請求項１４】
さらに上部部分と下部部分を有し、この上部部分が複数の支持アームを有する請求項１〜１３のいずれか１項記載のフィン取り付け装置。
【請求項１５】
フィンプラグをサーフィン用具の本体内に埋設した請求項１〜１４のいずれか１項記載のフィン取り付け装置。
【請求項１６】
ウォーム歯車を垂直に設けた請求項１〜１５のいずれか１項記載のフィン取り付け装置。
【請求項１７】
フィンをキャビティ内で前後に移動できるように構成した請求項１〜１６のいずれか１項記載のフィン取り付け装置。
【請求項１８】
キャビティに対頂傾斜角をつけた請求項１〜１７のいずれか１項記載のフィン取り付け装置。
【請求項１９】
対頂傾斜角が３°〜５°である請求項１８記載のフィン取り付け装置。
【請求項２０】
サーフィン用具の下面に対して全体として垂直に延設した本体部分、および
この本体部分に取り付けられる取り付け部分であって、上記サーフィン用具内に埋設したフィンプラグが形成するキャビティ内に嵌合され、摩擦作用によって保持される取り付け部分を有することを特徴とするフィン。
【請求項２１】
上記取り付け部分が柔らかい可撓性材料を有する請求項２０記載のフィン。
【請求項２２】
上記の柔らかい可撓性材料がゴムである請求項２１記載のフィン。
【請求項２３】
上記取り付け部分が少なくとも一つのタブを有する請求項２０〜２２のいずれか１項記載のフィン。
【請求項２４】
タブをフィンに延設した請求項２３記載のフィン。
【請求項２５】
フィンが第１側面を有し、この側面にフィンプラグと係合する傾斜アンダーカットを形成した請求項２３または２４記載のフィン。
【請求項２６】
タブが第２側面を有し、この第２側面の少なくとも一部を波形加工し、キャビティ内に形成した側壁と係合するように構成した請求項２４記載のフィン。
【請求項２７】
タブの第２側面の波形加工した部分が前部に存在する請求項２６記載のフィン。
【請求項２８】
タブの第２側面の波形加工した部分が背部に存在する請求項２６または２７記載のフィン。
【請求項２９】
タブの第２側面の波形加工した部分が中央部に存在する請求項２６〜２８のいずれか１項記載のフィン。
【請求項３０】
上記タブの第２側面の波形加工した部分が実質的に第２側面である請求項２６〜２９のいずれか１項記載のフィン。
【請求項３１】
第２側面を正弦波の形で波形加工した請求項２６〜３０のいずれか１項記載のフィン。
【請求項３２】
第２側面を鋸歯状に波形加工した請求項２６〜３１のいずれか１項記載のフィン。
【請求項３３】
請求項２０〜３２のいずれか１項のフィンと組み合わせた、請求項１〜１４のいずれか１項記載のフィン取り付けシステム。
【請求項３４】
サーフィン用具にフィンプラグを取り付ける方法において、
このフィンプラグを埋設すべき、サーフィン用具の下面に調節ジグパッケージを取り付ける工程、
この調節ジグパッケージの中心部分を除去する工程、
この中心部分と実質的に同じ形状および同じ大きさの取り付けキャビティをサーフィン用具に形成する工程、
複数の支持アームをもつフィンプラグを取り付けキャビティに位置決めする工程、
調節ジグパッケージの深さカットアウトを除去する工程、
フィンプラグの支持アームを深さカットアウトに対して位置決めする工程、
取り付けキャビティ内に樹脂を充填する工程、および
調節ジグパッケージ、およびフィンプラグの上面および支持アームをペーパー仕上げ処理して除去する工程を有することを特徴とする取り付け方法。
【請求項３５】
さらに、フィンプラグにダミーフィンを嵌合する工程を有する請求項３４の取り付け方法。
【請求項３６】
さらに、調節可能な量のパテを深さカットアウト内に充填し、フィンプラグの対頂傾斜角を調節する工程を有する請求項３４または３５記載の取り付け方法。
【請求項３７】
上記中心部分および深さカットアウトを予め切断形成しておいた請求項３４〜３６のいずれか１項記載の取り付け方法。
【請求項３８】
上記中心部分が、フィンプラグの外形と実質的に同じ形状である請求項３４〜３７のいずれか１項記載の取り付け方法。
【請求項３９】
取り付けキャビティに隣接する材料を除去し、上記樹脂を充填する間隙を形成した請求項３４〜３８のいずれか１項記載の取り付け方法。
【請求項４０】
上記間隙が、実質的にサーフィン用具の上面の表面まで達している請求項３９記載の取り付け方法。
【請求項４１】
フィンのタブを着脱自在に取り付ける取り付け装置において、
フィンに延設したタブが嵌合するキャビティを形成したフィンプラグ、
フィンプラグ内で回動する歯をもつウォーム歯車、および
ウォーム歯車とキャビティとの間に設けられ、ウォーム歯車の歯とかみ合って、ウォーム歯車の回動によってキャビティ内のフィンのタブに係合するカムを有することを特徴とする取り付け装置。
【請求項４２】
タブの第１側部に形成した傾斜アンダーカットがカムに係合し、カムをウォーム歯車の回動によって傾斜アンダーカットに係合してフィンプラグのキャビティ内にタブを固定する請求項４１記載の取り付け装置。
【請求項４３】
ウォーム歯車を逆方向に回動して、キャビティ内のタブの傾斜アンダーカットからカムを離脱させる請求項４２記載の取り付け装置。
【請求項４４】
傾斜アンダーカットをタブの底部まで延長形成した請求項４２または４３記載の取り付け装置。
【請求項４５】
傾斜アンダーカットをタブ底部の手前まで延長形成した請求項４２〜４４のいずれか１項記載の取り付け装置。
【請求項４６】
タブが第２側部を有し、この第２側部の少なくとも一部を波形加工部として構成し、キャビティの側壁がタブの波形加工部をもつ第２側部と係合する請求項４１〜４５のいずれか１項記載の取り付け装置。
【請求項４７】
タブの第２側部の波形加工部が正面部分にある請求項４６記載の取り付け装置。
【請求項４８】
タブの第２側部の波形加工部が背部にある請求項４６または４７記載の取り付け装置。
【請求項４９】
タブの第２側部の波形加工部が中間部にある請求項４６〜４８いずれか１項記載の取り付け装置。
【請求項５０】
タブの第２側部の実質的に全体を波形加工部として構成した請求項４６〜４９のいずれか１項記載の取り付け装置。
【請求項５１】
第２側部を正弦波状に波形加工した請求項４６〜５０のいずれか１項記載の取り付け装置。
【請求項５２】
第２側部を鋸歯状に波形加工した請求項４６〜５１のいずれか１項記載の取り付け装置。
【請求項５３】
サーフィン用具にフィンを固定する装置において、
フィンに延設したタブを嵌合するキャビティを形成したフィンプラグ内で回動する歯を形成したウォーム歯車を有し、ウォーム歯車を回動してタブをキャビティ内に固定することを特徴とする固定装置。
【請求項５４】
さらに、タブとウォーム歯車との間にカムを設け、カムがウォーム歯車の歯に係合する歯を有する請求項５３記載の固定装置。
【請求項５５】
サーフィン用具にフィンを固定する固定装置において、
フィンプラグ内で回動する歯をもつウォーム歯車、および
第１側部がウォーム歯車の歯とかみ合うタブを有し、
ウォーム歯車の回動によって、タブをキャビティ内に固定することを特徴とする固定装置。
【請求項５６】
タブの第１側部にねじを形成し、このねじをウォーム歯車の歯にかみ合わせ、ウォーム歯車の回動によってキャビティ内にタブを固定する請求項５５記載の固定装置。
【請求項５７】
タブの第１側部にアンダーカットを形成し、このアンダーカットをウォーム歯車の歯に係合し、ウォーム歯車の回動によってタブをキャビティ内に固定する請求項５５または５６記載の固定装置。
【請求項５８】
タブの第１側部のアンダーカットに係合するウォーム歯車の回動とともに、上記歯のピッチ角が大きくなるように構成し、ウォーム歯車の回動によってタブをキャビティ内に固定する請求項５７記載の固定装置。
【請求項５９】
ウォーム歯車の長手軸線が、実質的にタブの長手軸線に対して平行である請求項５５〜５８記載の固定装置。
【請求項６０】
ウォーム歯車を逆回動させて、タブをキャビティから離脱させる請求項５５〜５９のいずれか１項記載の固定装置。
【請求項６１】
サーフィン用具のフィンを固定する装置において、
フィンに延設したタブが嵌合するキャビティを形成したフィンプラグ内で回動する歯をもつウォーム歯車、および
ウォーム歯車とキャビティとの間に設けたカムを有し、
ウォーム歯車の回動によってカムがフィンに延設したタブに係合するようにカムを構成したことを特徴とする固定装置。
【請求項６２】
カムの歯が、ウォーム歯車の歯とかみ合う請求項６１記載の固定装置。
【請求項６３】
サーフィン用具にフィンを固定する方法において、
サーフィン用具のフィンにタブを延設する工程、
サーフィン用具内に形成したプラグ内に形成したキャビティにタブを挿入する工程、および
プラグ内にタブの側部を係合してフィンをサーフィン用具に固定する工程を有することを特徴とする固定方法。
【請求項６４】
さらに、プラグ内のカムに係合するタブの側部にアンダーカットを形成する工程、および
ウォーム歯車を回動し、カムをアンダーカットに係合する工程を有する請求項６３記載の固定方法。
【請求項６５】
さらに、タブの側部にねじを形成する工程、
歯を形成したウォーム歯車を回動する工程、および
ウォーム歯車の歯をねじに噛み合わせ、タブをキャビティ内に保持する工程を有する請求項６３または６４記載の固定方法。
【請求項６６】
さらに、タブの側部にアンダーカットを形成する工程、
ウォーム歯車の歯のピッチ角を大きくする工程、および
ウォーム歯車を回動し、歯をタブ側部のアンダーカットに係合してタブをキャビティ内に保持する工程を有する請求項６３〜６５のいずれか１項記載の固定方法。
【請求項６７】
請求項１〜１９のいずれか１項記載の着脱式フィン取り付け装置を有するサーフィン用具。
【請求項６８】
請求項２０〜３２のいずれか１項記載のフィンを有するサーフィン用具。
【請求項６９】
請求項３３記載のフィン取り付け装置／フィンを有するサーフィン用具。
【請求項７０】
請求項３４〜４０のいずれか１項記載の方法によって取り付けたフィンプラグを有するサーフィン用具。
【請求項７１】
請求項４１〜６２のいずれか１項記載のフィンをかみ合う装置を有するサーフィン用具。
【請求項７２】
請求項６３〜６６のいずれか１項記載の方法によって固定したフィンを有するサーフィン用具。
【請求項７３】
サーフボードである、請求項６７〜７２のいずれか１項記載のサーフィン用具。
【発明の詳細な説明】
【技術分野】
【０００１】
本発明は、サーフボードなどのサーフィン用具（サーフクラフト）を対象とする着脱・調節式フィン（サーフフィン）装置、およびこのサーフフィン装置をサーフボードに取り付ける方法に関する。
【背景技術】
【０００２】
サーフボードを製造する場合、発泡プラスチック材料からなる本体を成形してから、繊維強化樹脂、通常はファイバーグラスからなる層を被覆する。サーフボード本体は、サーファーを支持する上面、即ちライディング面と、海水側になる下面とで構成する。このサーフボード本体の海水側の下面に一つかそれ以上の、通常は三つのフィンを固定する。これらのフィンは、例えば、フィン基部周囲に繊維強化樹脂を適用することによって永久的にサーフボードに固定することができる。
【０００３】
ところが、フィンをサーフボードに永久的に固定した場合、フィンの取り外しが容易ではない、またフィンが損傷する、あるいはこのフィンを異なる水力学的特性をもつ別なフィンと交換することが望ましい場合に、フィンの交換が容易ではないという問題がある。さらに、持ち運び時や保管時に、フィンを取り外し、サーフボードやフィンが損傷する恐れを最小限に抑えることが望ましい。フィンの永久固定に関する問題を解決するために、サーフボードからフィンを取り外すことができるフィンが開発されている。このような着脱式フィンは、例えば、ＵＳＰ５，３２８，３９７およびＵＳＰ５，９７５，９７４に開示されているが、これら公知の着脱式フィンにも欠点があり、改良の余地がある。
【０００４】
既存のフィンは、物理的な作業、即ちフィンをサーフボードに着脱する前に、小さな止めねじを緩める必要がある。さらに、アレンスパナが必要な上に、止めねじが損傷あるいは腐蝕すると、着脱作業や交換作業が難しく、作業時間も長い。また、既存のフィンは、フィンを一旦取り付けた後の調節が簡単ではない。サーフィン条件および所望のサーフボード性能に応じて、フィンの前後位置、特に後部フィンまたは中央フィンの位置を変更することが望ましい場合も多い。現在利用されているフィンは、フィンを挿入固定する位置が固定または制限されているため、フィンを取り付けた後、フィンを前後に操作する調整能力がないわけではないが、調整は難しい。
【０００５】
既存のフィンには別な問題、即ちサーフボード本体内にフィン固定相地を取り付けるさいに問題が生じる。例えば、米国特許第５，３２８，３９７号公報に記載されている二つのプラグからなる固定相地の場合、取り付け作業時にプラグの所定間隔でプラグを正確に位置合わせする必要がある。少しでもプラグの位置にズレがあると、プラグの位置合わせが不完全になり、フィンの取り付けが難しくなり、あるいは不可能になる。また、プラグの位置が、取り付け作業時にサーフボードに作用する物理的応力や内部応力によってずれることもある。さらに、従来知られている取り付け方法の場合、パテ、テープ、発泡体、中心パンチなどの多数の、マークをつけるための工具や位置決めジグ（テンプレートを含む）その他の工具、付属装置が必要である。より重要なことは、従来の取り付け方法の場合、例えば、ジグ（テンプレートを含む）のマーク付け工程、位置決め工程、取り外し工程、再位置決め工程などの多くの工程からなり、作業が難しく、また作業時間が長い。従って、フィン固定システムを容易に、また正確に取り付けることができる調節ジグパッケージが望まれている。
【０００６】
このように、フィンを簡単かつすばやく取り付けることができ、また取り外すこともでき、さらに調節することができるフィン固定相地が望まれている。また、サーフボードにサーフフィン固定装置を簡単かつ正確に取り付けることができる取り付けジグパッケージも望まれている。
【０００７】
ここで、本明細書で言及した従来例は、本願の優先権主張日の時点での共通の技術的知識レベルを示すものではない。
【特許文献１】ＵＳＰ５，３２８，３９７
【特許文献２】ＵＳＰ５，９７５，９７４
【特許文献３】米国特許第５，３２８，３９７号
【発明の開示】
【発明が解決しようとする課題】
【０００８】
本発明は、フィン、
このフィンの一部を嵌合するキャビティを形成したフィンプラグ、
このキャビティに隣接してフィンプラグ内に設けた歯車をもつカム、および
上記フィンプラグ内に設けられ、かつカムの歯車に係合するウォーム歯車を有し、
このウォーム歯車を回動してカムを回動させ、キャビティ内に嵌合したフィンの上記一部を固定するように構成した着脱式フィン取り付け装置を提供するものである。
【課題を解決するための手段】
【０００９】
フィンがさらにタブを有し、このタブをキャビティに嵌合する。
【００１０】
キャビティの長さをタブの長さより長くし、キャビティ内でフィンを前後に調節できるように構成する。
【００１１】
カムがさらに平坦部分と張り出し部分を有する。
【００１２】
ウォーム歯車を所定の方向に回動し上記カムを係合位置まで回動させ、ウォーム歯車を反対方向に回動し上記カムを非係合位置まで回動させる。
【００１３】
カムの張り出し部分を係合位置においてフィンに対して位置決めし、カムの平坦部分を非係合位置においてフィンに対して位置決めする。張り出し部分は、ゴム材料を有する。
【００１４】
ウォーム歯車が、さらにこのウォーム歯車を回動する手段を受け取る開口を有する。開口が実質的に矩形で、上記ウォーム歯車を回動する手段がプラスチックキー、ドライバー、および車または家のキーを有する。
【００１５】
フィンが、さらにゴム材料を有する。フィンが側面を有し、この側面が、フィンをキャビティ内に嵌合したときにカムに隣接する。フィンが凹部を形成した側面を有し、この凹部が、フィンをキャビティ内に嵌合したときにカムに隣接する。あるいは、フィンがカットアウト部分を形成した側面を有し、このカットアウト部分が、フィンをキャビティ内に嵌合したときにカムに隣接する。
【００１６】
フィン取り付け装置は、さらに上部部分と下部部分を有し、この上部部分が複数の支持アームを有する。
【００１７】
フィンプラグは、サーフィン用具の本体内に埋設する。
【００１８】
上記ウォーム歯車は、垂直に設ける。
【００１９】
フィンをキャビティ内で前後に移動できるように構成する。この場合、キャビティは、３°〜５°の傾斜角を有する。
【００２０】
また、本発明は、流体力学的水中翼を形成する本体部分であって、サーフィン用具の下面に対して全体として垂直に延設される本体部分、および
この本体部分に取り付けられる取り付け部分であって、サーフィン用具内に埋設したフィンプラグが形成するキャビティ内に嵌合され、摩擦作用によって保持される取り付け部分を有するフィンを提供するものでもある。
【００２１】
上記取り付け部分は、柔らかい可撓性材料を有する。この柔らかい可撓性の材料は好ましくはゴムである。上記取り付け部分は、少なくとも一つのタブを有する。タブは、フィンから突出する。上記フィンは、第１側面を有し、この側面にフィンプラグと係合する傾斜アンダーカットを形成する。
【００２２】
上記タブが第２側面を有し、この第２側面の少なくとも一部を波形加工し、キャビティ内に形成した側壁と係合するように構成する。タブの第２側面の波形加工した部分が、前部に存在する。
【００２３】
タブの第２側面の波形加工した部分が、背部にも、あるいは背部に存在する。
【００２４】
タブの第２側面の波形加工した部分が、中央部にも、あるいは中央部に存在する。
【００２５】
タブの第２側面の波形加工した部分が、実質的に第２側面全体である。
【００２６】
第２側面は、正弦波として波形加工する。また、第２側面は、鋸歯状にも、あるいは鋸歯状に波形加工する。
【００２７】
さらに、本発明は、上記のフィン取り付け装置と、上記フィンとを組み合わせた物を提供するものである。
【００２８】
さらに、本発明は、サーフィン用具にフィンプラグを取り付ける方法において、
このフィンプラグを埋設すべき、サーフィン用具の下面に調節ジグパッケージを取り付ける工程、
この調節ジグパッケージの中心部分を除去する工程、
この中心部分と実質的に同じ形状および同じ大きさの取り付けキャビティをサーフィン用具に形成する工程、
複数の支持アームをもつフィンプラグを取り付けキャビティに位置決めする工程、
調節ジグパッケージの深さカットアウトを取り外す工程、
フィンプラグの支持アームを深さカットアウトに対して位置決めする工程、
取り付けキャビティ内に樹脂を充填する工程、および
調節ジグパッケージ、およびフィンプラグの上面および支持アームをペーパー仕上げ処理する工程を有する取り付け方法を提供するものである。
【００２９】
さらに、フィンプラグにダミーフィンを嵌合する工程、調節可能な量のパテを深さカットアウト内に充填し、およびフィンプラグの対頂傾斜角を調節する工程を有する取り付け方法である。
【００３０】
さらに、上記中心部分および深さカットアウトを予め切削によって形成しておいた取り付け方法であり、上記中心部分が、フィンプラグの外形と実質的に同じ形状である取り付け方法である。
【００３１】
さらに、取り付けキャビティに隣接する材料を除去し、上記樹脂を充填する間隙を形成した取り付け方法であり、この間隙が、実質的にサーフィン用具の上面の表面まで達している取り付け方法である。
【００３２】
また、本発明は、フィンのタブを着脱自在に取り付ける取り付け装置において、
フィンに延設したタブが嵌合するキャビティを形成したフィンプラグ、
フィンプラグ内で回動する歯をもつウォーム歯車、および
ウォーム歯車とキャビティとの間に設けられ、ウォーム歯車の歯とかみ合って、ウォーム歯車の回動によってキャビティ内のフィンのタブに係合するカムを有する取り付け装置を提供するものである。
【００３３】
タブの第１側部に形成した傾きをもつアンダーカットがカムに係合し、カムをウォーム歯車の回動によって傾きをもつアンダーカットに係合してフィンプラグのキャビティ内にタブを固定する取り付け装置である。
【００３４】
ウォーム歯車を逆方向に回動して、キャビティ内のタブの傾きをもつアンダーカットからカムを離脱させる取り付け装置である。傾きをもつアンダーカットをタブの底部まで延長形成することが好ましい取り付け装置であり、傾きをもつアンダーカットをタブ底部の手前まで延長形成した取り付け装置である。
【００３５】
タブが第２側部を有し、この第２側部の少なくとも一部を波形加工部として構成し、キャビティの側壁がタブの波形加工部をもつ第２側部と係合する取り付け装置である。
【００３６】
タブの第２側部の波形加工部が正面部分にある取り付け装置である。
【００３７】
タブの第２側部の波形加工部が背部にも、あるいは背部にある取り付け装置である。
【００３８】
タブの第２側部の波形加工部が中間部にも、あるいは中間部にある取り付け装置である。
【００３９】
タブの第２側部の実質的に全体を波形加工部として構成した取り付け装置である。
【００４０】
第２側部を正弦波の形で波形加工した取り付け装置であり、第２側部を鋸歯の形にも、あるいは鋸歯の形に波形加工した取り付け装置である。
【００４１】
また、本発明は、サーフィン用具にフィンを固定する装置において、
フィンに延設したタブを嵌合するキャビティを形成したフィンプラグ内で回動する歯を形成したウォーム歯車を有し、ウォーム歯車を回動してタブをキャビティ内に固定する固定装置を提供するものである。
【００４２】
さらに、タブとウォーム歯車との間にカムを設け、ウォーム歯車の回動によってタブをキャビティ内に固定する固定装置である。
【００４３】
また、本発明は、サーフィン用具にフィンを固定する固定装置において、
フィンプラグ内で回動する歯をもつウォーム歯車、および
第１側部がウォーム歯車の歯とかみ合うタブを有し、
ウォーム歯車の回動によって、タブをキャビティ内に固定する固定装置を提供するものである。
【００４４】
タブの第１側部にねじを形成し、このねじをウォーム歯車の歯にかみ合わせ、ウォーム歯車の回動によってキャビティ内にタブを固定する固定装置である。
【００４５】
タブの第１側部にアンダーカットを形成し、このアンダーカットをウォーム歯車の歯に係合し、ウォーム歯車の回動によってタブをキャビティ内に固定する固定装置であり、タブの第１側部のアンダーカットに係合するウォーム歯車の回動とともに、上記歯の課ピッチ角度が大きくなるように構成し、ウォーム歯車の回動によってタブをキャビティ内に固定する固定装置である。
【００４６】
ウォーム歯車の長手軸線が、実質的にタブの長手軸線に対して平行である固定装置である。
【００４７】
ウォーム歯車を逆回動させて、タブをキャビティから離脱させる固定装置である。
【００４８】
また、本発明は、サーフィン用具のフィンを固定する装置において、
フィンに延設したタブが嵌合するキャビティを形成したフィンプラグ内で回動する歯をもつウォーム歯車、および
ウォーム歯車とキャビティとの間に設けたカムを有し、
ウォーム歯車の回動によってカムがフィンに延設したタブに係合するようにカムを構成した固定装置を提供するものである。
【００４９】
カムの歯が、ウォーム歯車の歯とかみ合う固定装置である。
【００５０】
また、本発明は、サーフィン用具にフィンを固定する方法において、
サーフィン用具のフィンから突出するタブを形成する工程、
サーフィン用具内に形成したプラグ内に形成したキャビティにタブを挿入する工程、および
プラグ内にタブの側部を係合してフィンをサーフィン用具に固定する工程を有する固定方法を提供するものである。
【００５１】
さらに、プラグ内のカムに係合するタブの側部にアンダーカットを形成する工程、および
ウォーム歯車を回動し、カムをアンダーカットに係合する工程を有する固定方法である。
【００５２】
さらに、タブの側部にねじを形成する工程、
歯を形成したウォーム歯車を回動する工程、および
ウォーム歯車の歯をねじにかみ合わせ、タブをキャビティ内に保持する工程を有する固定方法である。
【００５３】
さらに、タブの側部にアンダーカットを形成する工程、
ウォーム歯車の歯のピッチ角を大きくする工程、および
ウォーム歯車を回動し、歯をタブ側部のアンダーカットに係合してタブをプラグ内に保持する工程を有する固定方法である。
【００５４】
また、本発明は、上記の着脱式フィン取り付け装置、上記のフィン、上記のフィン／フィン取り付け装置、上記のフィン固定装置、上記の方法によって取り付けたフィンプラグ、および上記の方法によって固定したフィンを有するサーフィン用具を提供するものである。上記のサーフィン用具は、好適には、サーフボードである。
【００５５】
本発明のその他の装置、方法、作用効果などは、添付図面を参考にして以下の説明を読めば当業者には明らかになるはずである。なお、これら付加的な装置、方法、作用効果はいずれも本開示および本発明の範囲、および特許請求の範囲に含まれるものである。
【発明を実施するための最良の形態】
【００５６】
以下の説明は、本発明の原理を説明するもので、発明を制限するものではない。各項目の見出し、説明の全体的な構成は、説明のみを目的とし、発明を制限するものではない。
【００５７】
例示として、図１に、本発明のフィンプラグを使用してサーフボードにフィン２０、３０を取り付ける方法を示す。図１に示すように、サーフボード２２の下面２６が海水側になる。サーフボードの他の面、即ち上面（図示せず）が、サーファーが乗る波乗り面である。（点線で図示するように）、フィンプラグ２４に中心フィン、即ち後部フィン３０を取り付けるとともに、２つの側部フィン２０を取り付けることができる。後部フィン３０のフィンプラグ２４と、側部フィン２０のフィンプラグ２４とは大きさが同じであってもよいが、図１に示すように、一般には、後部フィン３０のフィンプラグ２４のほうが、側部フィン２０のフィンプラグ２４よりも大きい。
【００５８】
一般に、側部フィン２０および後部フィン３０は、端面３２からひとつかそれ以上のタブ３４を延設して構成する。タブ３４については、フィンプラグ２４のキャビティ４０に嵌合するように形成し、側部フィン２０または後部フィン３０については、キー６０をウォーム歯車６２のスロット６４（図３）に差込み、キー６０を回動することによってフィンプラグ２４内に固定できるように構成する。側部フィン２０または後部フィン３０を正しく取り付ける場合には、端面３２をフィンプラグ２４に当接させ、この端面の高さをサーフボード２２の下面２６およびフィンプラグ２４の上面７４（図３）の高さと実質的に同じ高さに構成する。
【００５９】
図１の場合、後部フィン３０は、キャビティ４０の後端位置に位置しているが、キャビティ４０の長手方向長さを後部フィン３０のタブ３４よりも長くすることによって、フィン３０をキャビティ内部で前後に移動させ、位置決めすることができる。この前後の移動／調節は、サーフィン中でもすばやくかつ簡単に行うことができる。同様な方法で、側部フィン２０についても、キャビティ４０内で前後に移動位置決めできる。
【００６０】
この前後の移動／調節操作を、より具体的に図２について説明する。なお、図２は、図１の２−２線についてのフィンプラグ２４および後部フィン３０の断面図である。本発明の一実施態様では、フィンプラグ２４によって、後部フィン３０を１５ｍｍ程度前後に移動することができる。側部フィン２０の前後移動は、通常はより小さく、最大で約５ｍｍほどであるが、この５〜１５ｍｍの前後移動は、絶対的なものではなく、キャビティ４０を長くすれば、あるいはタブ３４を短くすれば、簡単に加減することができる。
【００６１】
図２の横断面図の場合、後部フィン３０のタブ３４はキャビティ４０に嵌合している。フィンの端面３２については、サーフボード２２の下面２６およびフィンプラグ２４の上面７４の一部に当接させ、高さを実質的に同じ高さにすることができる。図２に示すように、矢印２７に示す方向にそって後部フィン３０を前後に移動させることができ、また最前部まで、あるいは前後位置の任意の中間位置に移動させることができ、ここに固定することができる。
【００６２】
図３は、本発明の一実施態様によるフィンプラグ２４の上面斜視図である。フィンプラグ２４は、図１および図２に示すように、サーフボード２２に埋設することができる。図３に示すように、フィンプラグ２４のキャビティ４０にフィン２０、３０を嵌合し、全体として矩形のスロット６４をもつウォーム歯車６２にキー６０（図１参照）を差し込む。図３に示すフィンプラグ２４は、全体として三つの円筒体が重なっている構成をもち、三つの一時的な支持体、即ちアウトリガー６６で、取り付け時に、サーフボード２２の下面２６にフィンプラグ２４を位置決めする。また、フィンプラグ２４は複数の凹部７０をもち、カラー部材７２を上面７４からフィンプラグ２４の外周縁部まで延設する。なお、アウトリガー６６、凹部７０およびカラー部材７２の作用については、後述する。
【００６３】
フィンプラグ２４は、正方形、長方形などの各種の形状で構成することができ、図示の三つの円筒体が重なる構成は、例示を目的とするもので、本発明はこれに制限されるものではない。
【００６４】
次に、図４の横断面図について、フィンプラグ２４の細部、ウォーム歯車６２および対応するカム８０の作用効果および相互関係を説明する。ウォーム歯車６２は、フィンプラグ２４内に垂直配置する。図示のように、ウォーム歯車６２のスロット６４はほぼ長方形であるが、任意の形状に構成することができる。このスロット６４にキー６０、ドライバー、車や家のキーなどを差し込み、ウォーム歯車６２を回動する。
【００６５】
水平に配置した、歯車または歯８２をもつカム８０をフィンプラグ２４内に配設する。このカム８０がウォーム歯車６２に係合し、フィン２０、３０のタブ３４を係合回動させる。なお、“水平”とは、フィンプラグ２４のキャビティに長手方向に平行な配置構成をいう。
【００６６】
図３および図４の実施態様では、ウォーム歯車６２を時計方向に回し、カム８０を回動させ、キャビティ４０に挿入されたフィン２０、３０のタブ３４を係合保持する。一方、ウォーム歯車６２を反時計方向に回すと、カム８０が逆に回動し、フィン２０、３０のタブ３４がフィンプラグ２４から離脱する。
【００６７】
図４に示すように、フィンプラグ２４は、下部部分４２および上部部分４４からなり、製品とする場合には、超音波溶接その他の公知方法でこれら部分を一体化する。複数の歯車または歯６８をもつウォーム歯車６２をフィンプラグ２４内に配設する。具体的には、図４に示すように、ウォーム歯車６２をフィンプラグ２４内に垂直配設する。フィンプラグ２４の上部部分４４および下部部分４２が、カム８０に係合する軸受け４６を形成する。カム８０は、ウォーム歯車６２とキャビティ４０との間において軸受け４６に設ける。カム８０の複数の係合歯車または歯８２が、ウォーム歯車６２の歯車６８に係合する。カム８０には、非係合部分である平坦部８４と係合部分である張り出し部８６を形成する。
【００６８】
平坦部８４および歯車８２を設けた領域を除いた部分のカム８０は実質的に円形である。なお、“張り出し部”とは、フィン２０、３０のタブ３４に対して位置決めされ、これに係合するカム８０の全体として円形の部分を指す。あるいは、カム８０の真円部分に対して外側に張り出すように張り出し部を形成することも可能である。例えば、フィン２０、３０のタブ３４に確実に係合するように、張り出し部を楕円形に構成してもよい。このように、“張り出し部”とは、実質的に円形、楕円形であるか、あるいはカムの真円部に対して張り出しているかどうかに関係なく、タブ３４に対して位置決めされ、これに係合するカム８０の部分を意味するものである。
【００６９】
カム８０は、軸受け４６内でその水平軸に対して回転軸８７（図７）を中心にしてスムーズに回動し、その両端にストッパー８８をもつ。軸受け４６はカム８０と実質的に同じ形状で構成し、カム８０の両端に形成したストッパー８８および回転軸８７（図７）に係合するように構成する。また、フィンプラグ２４については、所定の方向に、即ち図２および図４の実施態様では時計方向にウォーム歯車６２を回すことによって係合位置に位置決めできるように、またその逆方向、即ち反時計方向にウォーム歯車６２を回すことによって非係合位置に位置決めできるように構成する。ウォーム歯車６２およびカム８０が所定の構成になっているため、時計方向に回すと、カム８０がフィン２０、３０のタブ３４に係合し、垂直な力および水平な力が作用して、タブ３４をキャビティ４０内下方に引き込むため、フィン２０、３０の係合度が強くなる。
【００７０】
図４は、ウォーム歯車６２を回すことによってカムを係合位置まで回動させる方法を説明する図である。係合位置では、カム８０の張り出し部８６がフィン２０、３０のタブ３４の側面３５に当接し、十分に摩擦するため、フィンの移動あるいは離脱は生じない。カム８０を非係合位置に回すと、平坦部８０がタブ３４の側面に位置決めされるため、フィンのキャビティ４０への着脱が容易になるとともに、フィン２０、３０のキャビティ４０内での前後調節を容易に実施できる。このように、本発明のフィンプラグの場合、カム８０の回動を調節し、フィンのタブ３４をカム８０の張り出し部８６または平坦部８４のいずれかに位置決め係合することによってフィンを係合固定できる。公知のものと違って、このカム８０は、前後に伸びてタブ３４に当接し、フィンを固定するものではない。
【００７１】
フィンプラグ２４は、比較的硬いプラスチックやその他の同種材料で構成することができる。なお、カム８０、ウォーム歯車６２については、より硬い材料、即ち歪み、捩れ、曲げ、チッピングなどの作用に対して比較的強いエンジニアリングプラスチックで構成することが好ましい。
【００７２】
カム８０およびタブ３４の両者は比較的硬度があるため、タブ３４および／またはカム８０の張り出し部８６の一部の領域により柔らかい可撓性ゴム材料を使用し、摩擦係合をより多様化することが望ましい場合もある。ある種のゴム材料を使用すると、カム８０を係合位置に回動した場合に、張り出し部８６とタブ３４との間の摩擦を加減し、固定力を所望に応じて加減することができ、あるいは摩擦を所望に応じて調節することが可能になる。即ち、可撓性ゴム材料をタブ３４および／またはカム８０に使用すると、この可撓性を利用して、タブ３４とカム８０との間の摩擦を所望に応じて調節することができ、また突然衝撃を受けた場合にフィンをフィンプラグから離脱させる必要があるが、これに必要な力を制御することもできる。
【００７３】
図５は、本発明の別な実施態様によるフィンプラグ２４を示す横断面図である。図５に示す係合位置にカム８０を回動すると、タブ３４の凹部３６内に張り出し部８６が係合する。タブ３４の凹部３６は、ほぼ湾曲形状になっているため、カム８０の張り出し部８６に当接係合する。あるいは、図６に示すように、タブ３４にカットアウト部分３８を形成し、ここにカム８０の張り出し部８６を係合してもよい。図６の実施態様では、タブ３４とカム８０との位置決め自由度がより高い。
【００７４】
要約すると、図１〜６に示したサーフフィンプラグ２４の場合、ウォーム歯車６２をある方向に回すと、カム８０の張り出し部８６がタブ３４に対して位置決めされ、これに係合し、キャビティ４０に挿入されているフィンを固定する。一方、ウォーム歯車６２を反対方向に回すと、カム８０の平坦部８４がタブ３４に対して位置決めされ、これから離脱するため、フィンを取り外し、これを調節することができる。
【００７５】
フィンプラグ２４は、側部フィン２０および後部フィン３０の両方に対して使用することができるが、後部フィン３０に対して使用するフィンプラグ２４の場合は、後部フィン３０がより大きく前後移動できるように、より大きく構成することができる。さらに、以下に詳しく説明するように、側部フィン２０の対象とするフィンプラグ２４の場合は、対頂傾斜角をもつように構成することができるが、後部フィン３０を対象とする場合には、このような傾斜角は好ましくない。
【００７６】
図７は、ウォーム歯車６２、カム８０およびフィンプラグのキャビティ４０の位置関係を明示する図である。カム８０は、両端それぞれに回転軸８７およびストッパー８８を形成する。また、カム８０は、ウォーム歯車６２の歯車に係合する複数の歯または歯車８２をもつ。ウォーム歯車６２をある方向、即ち時計方向に回すと、カム８０が回動し、カム８０の張り出し部がキャビティ４０内に係合したフィンのタブ３４に係合する。ウォーム歯車６２のスロット６４は、特別に設計したキー、ドライバー、車または家のキーやその他の同種装置を受けとるように実質的に矩形状に構成する。なお、ウォーム歯車６２のスロット６４は、適切な形状ならば形状に制限はない。本発明のフィンプラグの場合、ウォーム歯車６２をごくわずか回すか、あるいは所望の張力点まで回すことによって、フィンを徐々に締め付けるか調節することができる。
【００７７】
図１および図７に示すように、フィン２０、３０は全体として本体部と取り付け部とを有する。本体部が流体力学的水中翼になり、サーフボード２２の下面２６に対して全体として垂直な水中翼として作用する。この本体部に取り付けた取り付け部は、フィンプラグ２４のキャビティ４０内に係合し、ここに摩擦作用によって保持される。この取り付け部は少なくとも一つのタブ３４を有することが好ましく、可撓性のゴム材料を利用して、タブ３４とフィンプラグ２４の係合手段、即ちカム８０との間の摩擦を制御するようにしてもよい。
【００７８】
以下、本発明に従って調節ジグパッケージ９０を使用して、フィンプラグを取り付ける方法について説明する。従来公知のフィンプラグを取り付ける場合、例えば、パテ、テープ、発泡体、中心パンチなどの多数の、マークをつけるための工具や位置決めジグ（テンプレートを含む）その他の工具、付属装置が必要である。さらに、従来の取り付け方法の場合、例えば、ジグ（テンプレートを含む）のマーク付け工程、位置決め工程、取り外し工程、再位置決め工程などの多くの工程からなり、作業が難しく不正確な上に、作業時間が長い。本発明の調節ジグパッケージ９０を使用すると、フィンプラグを容易かつすばやく、その上正確に取り付けることができる。
【００７９】
一例として、図８および図９に、調節ジグパッケージ９０、およびこの調節ジグパッケージ９０を使用してフィンプラグを取り付ける方法を示す。図８に示すように、この調節ジグパッケージ９０は、取り付けるフィンプラグと実質的に同じ形状の予めカットされた中心部分９２を有する。説明の便宜上、取り付けるフィンプラグは、図１〜７について説明したフィンプラグとする。
【００８０】
この調節ジグパッケージ９０を使用する場合、以下の方法に従ってフィンプラグを取り付ける。サーフボード２２の下面２６に調節ジグパッケージ９０を載せる前に、フィンプラグを取り付ける表面領域全体をペーパー仕上げ処理する。次に、フィンプラグを取り付けた後にフィンの前端および後端になるスポットにマークをつけ、マーク間に線９４を引く。図８〜９に、側部フィンプラグの調節ジグパッケージ９０を位置決めする方法を示す。線９４を引いた後、調節ジグパッケージ９０の底部の剥離式カバー９６を剥がし、好ましくは粘着剤付表面を露出させ、図８〜９に示すように、線９４にそって調節ジグパッケージ９０を配置する。底部に粘着剤を有する調節ジグパッケージ９０をサーフボード２２の下面２６に設ける。サーフボード２２の下面２６に設けたなら、中心部分９２を調節ジグパッケージから除去する。
【００８１】
サーフボード２２の下面２６に調節ジグパッケージ９０を正しく配置し、中心部分９２を取り外した後、穿孔装置を備えたドリル、ルーターその他の切削装置を使用して、サーフボード２２内に取り付けキャビティ９８を形成する。この調節ジグパッケージ９０は、ドリル、ルーターなどが取り付けキャビティ９０を形成している間、これらを案内するものである。取り付けキャビティ９８を形成したなら、調節ジグパッケージ９０から深さカットアウト部分９７を取り外し、図７に示すサーフフィンプラグ２４を取り付けキャビティ９８内に設ける。深さカットアウト部分９７を取り外してあるため、フィンプラグ２４のアウトリガー６６（図７）が正しく位置決めされ、サーフボード２２の下面２６に接触する。一時的な支持体として作用するアウトリガー６６によって、サーフボードの周囲面に対して適正な高さにフィンプラグ２４を位置決めできる。フィンプラグを取り付けキャビティ９８内に嵌合する前に、ダミーフィン（図示せず）をフィンプラグ２４内に嵌合すると、フィンプラグを確実に位置決めでき、確実に取り付けることができるため好ましい。
【００８２】
フィンプラグ２４を取り付けキャビティ９８内に適正に位置決めし、取り付けた後、フィンプラグ２４とサーフボード２２の取り付けキャビティ９８との間の間隙に、公知な樹脂その他の硬化性材料をゆっくり充填する。調節ジグパッケージ９０については、液状樹脂その他の硬化性材料が溢れでないように十分な高さをもつ堰として作用するのが好ましい。樹脂その他の硬化性材料の硬化後、調節ジグパッケージ９０、アウトリガー６６およびフィンプラグ２４のカラー部分７２（図３）をペーパー仕上げ処理して取り除き、フィンプラグ２４の上面７４の高さをサーフボード２２の下面２６の高さと実質的に同じ高さにする。従って、調節ジグパッケージは、ペーパー仕上げ処理によって除去するのに好適な材料で構成する必要がある。
【００８３】
また、一例として図１１に示すように、サーフボード２２の本体を構成する発泡体材料、特に取り付けキャビティ９８からの材料をさらに除去して、付加的な間隙１００を形成し、ここに樹脂その他の硬化性材料を注入して、フィンプラグ２４の取り付け安定性を強化するようにしてもよい。一つの実施態様では、公知な手工具その他の切削装置を使用して、取り付けキャビティ９８の（図１１に点線で示す）底部から実質的にサーフボード２２の上面２５の例えばファイバーグラス製の表面にいたる領域から材料を除去してもよい。この間隙１００に樹脂その他の硬化性材料を充填すると、サーフボード２２に取り付けたフィンプラグにより大きな構造強度および安定性を付与することができる。
【００８４】
あるいは、スパイク付の工具を使用して、取り付けキャビティ９８の側部および／または底部に隣接する領域の材料にスパイクを形成し、形成した付加的な間隙に樹脂その他の硬化性材料を充填してもよい。このようなスパイク状間隙１０２、１０４は、図１１に示すように、垂直かある角度をもつもので、スパイク付工具を使用した場合、スパイク点周囲の発泡体材料が圧縮され、この圧縮された発泡体材料１０１が付加的な構造支持を与える。必要な場合、スパイク付工具が形成した間隙１０２がサーフボード２２の上面２５の例えばファイバーグラス製表面に接触するようにしてもよい。
【００８５】
本発明の調節ジグパッケージ９０を使用すると、フィンの傾斜角の調節が容易になる。既に説明したように、フィンに対頂傾斜角を付けることが望ましい場合もある。例えば、側部フィンについては、外側方向に約４°の対頂傾斜角で傾斜させてもよい。ここで“外側方向”とは、サーフボード２２の中心部分に対する反対方向を意味する。後部フィン３０については、通常、傾斜角は必要ない。側部フィンの望ましい傾斜角に対処するために、本発明による側部フィン２０のフィンプラグは最初から例えば３°〜５°、好適には４°の傾斜角を備えている。
【００８６】
３°〜５°を超える傾斜角が望ましい場合には、少量のパテを調節ジグパッケージ９０の深さカットアウト９７に押し込んでもよい。ここで、フィンプラグ８０を、パテを使用して傾斜させると、アウトリガー６６の深さを調節できる。
【００８７】
調節ジグパッケージ９０を使用すると、フィンプラグ２４の取り付けを調節、ガイドすることができる。本発明の調節ジグパッケージ９０を利用する取り付け方法は、容易かつ正確な方法であり、取り付け時間も短い方法である。従って、従来の取り付け方法に比較して、かなり改良された方法である。
【００８８】
図１０に、例示として、本発明のフィンプラグ２４を複数単位として使用して、複数のタブ３４を形成したフィン３０を取り付ける方法を示す。図１０は、２つのフィンプラグ２４をサーフボード２２に埋設した例を示す。図１０に示した構成は、より大きな固定力を必要とするより大きな後部フィンを取り付ける場合に特に好適である。図１０の後部フィン３０は２つのタブ３４をもち、各タブ３４はそれぞれ対応するフィンプラグ２４に挿入固定することができる。あるいは、各フィンプラグ２４がタブ３４をひとつかそれ以上受け取るように構成してもよい。
【００８９】
図１２は、タブ３４にアンダーカット１００を形成したフィンプラグ２４の横断面図である。なお、このアンダーカット１００はタブ３４の第１側部の所定位置１０４から、タブ３４の底部１０６にかけて所定の傾斜角で形成している。アンダーカット１００の推薦０８に対する角度はθ１である。この角度θ１は、カム８０の張り出し部８６の外形に応じて変化する。カム８０が反時計方向に回動し、張り出し部８６がアンダーカット１００に係合して、タブ３４が所定位置に固定保持されるまで、タブ３４をキャビティ４０内に引き込むように、角度θ１を設定することができる。設定角度は、約５°〜約４５°であればよい。カム８０に係合するアンダーカット１００を形成すると、張り出し部８６が所定位置１０４と底部１０６の間のアンダーカット１００の任意の部分に係合し、タブをキャビティ４０内に確実に固定できる作用効果が得られる。
【００９０】
図１３は、アンダーカット１１０を底部１０６上方の所定位置まで形成したタブ３４を示す図である。この例では、アンダーカット角度θ２は図１２に示したθ１より大きく、所定位置１０４にそって第１側壁１０２にアンダーカットを深く形成する必要はない。アンダーカットをきつい角度で設けると、張り出し部とアンダーカットとの係合がより良好になる。
【００９１】
図１４は、タブ３４を端面３２から延設したフィンを示す側面図である。さらに図１５に示すように、タブ３４は第１側部１０２と第２側部１１２を有し、第１側部１０２がカム８０に係合し、第１側部１１２が、図１６に示したように、キャビティ４０内に形成した側壁１１４に係合する。第２側部１１２および側壁１１４は相互にかみ合う波形加工部１１１を有しているため、ウォーム歯車６２を回すと、波形加工した第２側部１１２が、図１７に示したキャビティ内の波形加工側壁１１４とかみ合う。第２側部１１２および側壁１１４の両者を波形加工してあるため、タブ３４がその長手軸線にそって前後運動することが実質的になく、またサーフィン時に、側部フィンやフィンの後部が偶然岩や、その他の妨害物に衝突してもタブ３４がキャビティから飛び出ることも実質的にない。あるいは、側壁１１４または第２側部１１２のいずれかのみを波形加工してもよい。なお、本発明のこの実施態様では、波形加工部は両側か、いずれか片側に必ず設けなければならない。
【００９２】
図１８〜２０は、実質的に側部１１２の全体にそって波形加工部を設けるのではなく、第２側部の所定部分に波形加工部を設ける場合を示す図である。図１８には、タブ３４の前側部１１６に波形加工部を設けた場合を示す。図１９には、タブ３４の後側部１１８に波形加工部を設けた場合を示す。図２０には、タブ３４の中心部を除いて、前側部１１６および後側部１１８に波形加工部を設けた場合を示す。図２１に、図１４に示すように垂直にではなく、フィン３４の長手軸線１２０にそって波形加工部を設けた場合を示す。この場合には、タブ３４の長手軸線にそって形成した波形加工部に係合するように、キャビティ４０内の側壁１１４にも波形加工部を形成する。波形加工部の形状は、各種の形状が選択でき、例えば図１５に示す正弦波形状を選択することができる。あるいは、三角形や矩形の形状も選択することができる。例えば、図２２に示すように、フィンが岩に衝突したさいに発生する曲げ作用力によってフィンがキャビティから飛び出ることがないように、側壁１１４の波形加工部と第２側部１１２の波形加工部を係合できるようにしてもよい。
【００９３】
図２３に、フィンプラグ２００内に形成したキャビティ４０に隣接するウォーム歯車６２の位置を含む別なフィンプラグ２００を示す。このウォーム歯車６２の歯は、タブ３４の第１側部１０２に形成したねじ２０６に係合するキャビティ４０に嵌入する。この実施態様では、ウォーム歯車６２が例えば回動すると、歯６８がねじ２０６と噛み合い、フィンプラグ２００のキャビティ４０内にタブ３４を固定する。このフィンプラグ２４の場合、カムは必要ない。
【００９４】
図２４に、タブ３４の第１側部１０２に形成したアンダーカット３０６に係合する歯３０４をもつウォーム歯車３０２を有するフィンプラグ２４を示す。ウォーム歯車３０２が回動するに従って、歯３０４のピッチ角が大きくなるように構成しているため、ウォーム歯車がある所定の方向に回動すると、ねじ３０４がアンダーカット３０６に係合し、タブ３４をキャビティ４０内に固定する。図２４に示すように、タブ３４をキャビティ４０に挿入するために、ピッチ角α１の歯３０４がアンダーカット３０６に係合するようにウォーム歯車３０２を位置決めすることができる。そして、ウォーム歯車３０２が回動してタブ３４をキャビティ４０内に固定すると、ピッチ角がピッチ角α２まで大きくなり、アンダーカット３０６に係合する。ピッチ角が大きくなるに従って、アンダーカット３０６に下向きの力が作用するため、ウォーム歯車３０２が回動すると、タブ３４がキャビティ内に引っ張りこまれる。完全に係合するようにウォーム歯車３０２が回動した場合には、ピッチ角α２が実質的にアンダーカット３０６に設定したピッチ角θ３に等しくなるため、歯３０４の全面積が実質的にアンダーカット３０６の全面積に係合することになる。
【００９５】
なお、以上説明してきた本発明は、本明細書に記載し、本明細書から自明な個々の特徴を２つかそれ以上組み合わせた実施態様すべてを包含するものである。従って、これら異なる実施態様はいずれも本発明の各種ある中の実施態様である。
【００９６】
以上、本発明を異なる実施態様について説明してきたが、本発明の精神から逸脱しない他の実施例や実施態様はいずれも当業者にとっては容易に理解できるはずである。即ち、本発明の範囲は、これら実施例や実施態様に制限されず、特許請求の範囲およびその法律上等価な範囲によってのみ制限されるものである。
【図面の簡単な説明】
【００９７】
【図１】本発明の一実施態様に従ってサーフボードの下面のフィンプラグにフィンを取り付ける方法を示す図である。
【図２】図１の２−２線にそってみた図１のフィンプラグおよびフィンの横断面図である。
【図３】本発明の一実施態様によるフィンプラグの上面斜視図である。
【図４】本発明の一実施態様を示す図３の４−４線についてのフィンプラグの横断面図である。
【図５】本発明の別な実施態様を示す図３の４−４線についてのフィンプラグの横断面図である。
【図６】本発明のさらに別な実施態様を示す図３の４−４線についてのフィンプラグの横断面図である。
【図７】本発明の一実施態様によるフィンプラグの内斜視図である。
【図８】本発明の一実施態様によるジグパッケージの斜視図である。
【図９】本発明の一実施態様によるジグパッケージの別な斜視図である。
【図１０】本発明の一実施態様によるフィンプラグ／中心フィンを例示する図である。
【図１１】本発明の一実施態様によるサーフボード、およびこのサーフボードに形成した取り付けキャビティを示す横断面図である。
【図１２】アンダーカットを形成したタブに係合したフィンプラグを示す横断面図である。
【図１３】別なアンダーカットを形成したタブに係合したフィンプラグを示す横断面図である。
【図１４】フィンの側面図である。
【図１５】フィンの底面図である。
【図１６】フィンプラグのキャビティに挿入した、波形加工部をもつタブを示す上面図である。
【図１７】タブに係合したフィンプラグを示す上面図である。
【図１８】タブの前面部分に波形加工部をもつタブを示す底面図である。
【図１９】タブの背面部分に波形加工部をもつタブを示す底面図である。
【図２０】タブの所定部分にそって波形加工部をもつタブを示す底面図である。
【図２１】タブの長手軸線にそって波形加工部をもつフィンを示す側面図である。
【図２２】フィンのタブおよびフィンプラグに形成したキャビティを係合固定したフィンプラグを示す上面図である。
【図２３】フィンプラグの別な実施態様を示す図である。
【図２４】フィンプラグのさらに別な実施態様を示す図である。
【符号の説明】
【００９８】
２０、３０：フィン、
２２：サーフボード、
２４、２００：フィンプラグ、
３２：端面、
３４：タブ、
４０：キャビティ、
４６：軸受け、
６０：キー、
６２：ウォーム歯車、
６４：スロット、
８０：カム、
８６：張り出し部、
９０：ジグパッケージ、
１１１：波形加工部。
【図１】
2005508798.tif 000003
【図２】
2005508798.tif 000004
【図３】
2005508798.tif 000005
【図４】
2005508798.tif 000006
【図５】
2005508798.tif 000007
【図６】
2005508798.tif 000008
【図７】
2005508798.tif 000009
【図８】
2005508798.tif 000010
【図９】
2005508798.tif 000011
【図１０】
2005508798.tif 000012
【図１１】
2005508798.tif 000013
【図１２】
2005508798.tif 000014
【図１３】
2005508798.tif 000015
【図１４】
2005508798.tif 000016
【図１５】
2005508798.tif 000017
【図１６】
2005508798.tif 000018
【図１７】
2005508798.tif 000019
【図１８】
2005508798.tif 000020
【図１９】
2005508798.tif 000021
【図２０】
2005508798.tif 000022
【図２１】
2005508798.tif 000023
【図２２】
2005508798.tif 000024
【図２３】
2005508798.tif 000025
【図２４】
2005508798.tif 000026
【手続補正書】
【提出日】平成16年8月16日(2004.8.16)
【手続補正１】
【補正対象書類名】特許請求の範囲
【補正対象項目名】全文
【補正方法】変更
【補正の内容】
【特許請求の範囲】
【請求項１】
サーフィン用具にフィンプラグを取り付ける装置において、
フィンに延設したタブが嵌合するキャビティを有し、外周に複数のアウトリガーを延設したフィンプラグ、および
サーフィン用具の下面に接合し、かつ複数の切り込みを形成した開口を形成する調節ジグを有し、
この開口が、フィンプラグの外周に実質的に対応する外形を有し、かつ複数の切り込みが実質的に複数のアウトリガーに対応し、
上記開口が、取り付けキャビティの外形が実質的にフィンプラグの外周に対応するように、サーフィン用具の下面内に取り付けキャビティを切削形成する切削手段を案内し、
上記複数の切り込みが、サーフィン用具の取り付けキャビティ内に所定の深さおよび方向でフィンプラグを容易に挿入できるように、サーフィン用具の下面に複数のアウトリガーを位置決めすることを特徴とする取り付け装置。
【請求項２】
フィンプラグが、少なくとも三つのアウトリガーを有する請求項１記載の装置。
【請求項３】
フィンプラグの外周から上向きにフランジを延設し、このフランジに複数のアウトリガーを延設した請求項１または２記載の装置。
【請求項４】
フランジおよび複数のアウトリガーが除去できる請求項３記載の装置。
【請求項５】
フランジおよび複数のアウトリガーが、ペーパー仕上げ処理によって除去できる請求項４記載の装置。
【請求項６】
調節ジグを、ペーパー仕上げ処理によって除去できる材料で構成した請求項５記載の装置。
【請求項７】
調節ジグが、上記開口内において、フィンプラグを取り付けキャビティ内に固着する硬化性材料を保持できる所定の厚みをもつ請求項１〜６のいずれか１項記載の装置。
【請求項８】
フィンプラグの外面から、タブを嵌合するキャビティを形成し、フィンプラグの外面が所定方向において実質的にサーフィン用具の下面と同じ高さになるように、複数のアウトリガーがフィンプラグの位置および方向を設定する請求項１〜６のいずれか１項記載の装置。
【請求項９】
フィンプラグが、フィンタブをフィンプラグのキャビティ内に着脱自在に固定する固定手段を有す請求項１〜８のいずれか１項記載の装置。
【請求項１０】
固定手段が、フィンプラグ内に設けた止めねじを有し、この止めねじをフィンタブに選択的に接触させてフィンタブのキャビティからの飛び出しを防止した請求項９記載の装置。
【請求項１１】
調節ジグが剥離層を有し、この剥離層を剥離してサーフィン用具の下面に接合する接着性面を露出させる請求項１〜１０のいずれか１項記載の装置。
【請求項１２】
調節ジグが２つの以上の開口を形成し、各開口から複数の切り込みを形成した請求項１〜１１のいずれか１項記載の装置。
【請求項１３】
請求項１〜１２のいずれか１項記載の装置を対象とする調節ジグにおいて、
第１層、
第２層、および
第２層を剥離して、サーフィン用具に第１層を接合する接着性層を露出できるように、第１層と第２層との間に設層した接着性層を有し、
少なくとも第１層および接着性層の中心部分に、これらの層を貫通する開口を設けるとともに、フィンプラグの複数のアウトリガーに対応する複数の切り込みをこの開口に形成し、そして
複数のアウトリガーをもつフィンプラグが第１層に当接し、アウトリガーをサーフィン用具の表面に載せ、サーフィン用具内において所定方向にフィンプラグを位置決めすることを特徴とする調節ジグ。
【請求項１４】
上記開口がサーフィン用具内に取り付けキャビティを形成する切断手段を案内し、この取り付けキャビティの外形が実質的に上記開口の外形に対応する請求項１３記載の調節ジグ。
【請求項１５】
第１層をペーパー仕上げ処理によって除去できる材料で構成した請求項１３または１４記載の調節ジグ。
【請求項１６】
さらに、第１層が、上記開口内において、フィンプラグをサーフィン用具内に固着する硬化性材料を保持する請求項１３〜１５のいずれか１項記載の調節ジグ。
【請求項１７】
二つ以上の開口が上記層を貫通する請求項１３〜１６のいずれか１項記載の調節ジグ。
【請求項１８】
サーフィン用具にフィンプラグを取り付ける方法において、
貫通開口を有し、この開口に複数の切り込みを形成した調節ジグをサーフィン用具の下面に位置決めする工程、
外形が、実質的に上記開口の外形に対応する取り付けキャビティをサーフィン用具内に形成する工程、
外周に複数のアウトリガーを延設したフィンプラグを取り付けキャビティ内に位置決めする工程、
上記切り込み内にフィンプラグのアウトリガーを位置決めする工程、
取り付けキャビティに樹脂を充填する工程、および
調節ジグおよびフィンプラグのアウトリガーを除去する工程を有することを特徴とする取り付け方法。
【請求項１９】
さらに、フィンプラグにダミーフィンを嵌合する工程を有する請求項１８記載の方法。
【請求項２０】
さらに、調節可能な量のパテを上記切り込みに装入し、フィンプラグの対頂傾斜角を調節する工程を有する請求項１８または１９記載の方法。
【請求項２１】
上記開口および上記切り込みを予め形成しておいた請求項１８〜２０のいずれか１項記載の方法。
【請求項２２】
さらに、取り付けキャビティからはみ出した材料を除去して樹脂を充填する別な間隙を形成する工程を有する請求項１８〜２１のいずれか１項記載の方法。
【請求項２３】
上記の別な間隙を実質的にサーフィン用具の上面の表面まで形成した請求項２２記載の方法。
【請求項２４】
調節ジグが、請求項１３〜１７のいずれか１項の調節ジグである請求項１８〜２３のいずれか１項記載の方法。
【国際調査報告】
2005508798.tif 000027
2005508798.tif 000028
2005508798.tif 000029
2005508798.tif 000030
2005508798.tif 000031